(57)【特許請求の範囲】
【請求項１】
放送信号を受信する受信部および受信した放送信号に対応する映像を前面に表示する表示面を有するテレビジョン本体部と、このテレビジョン本体部を下側から支持するスタンド部とを備え、
上記テレビジョン本体部は、上記表示面に合わせて前面に開口が形成された略箱形の筐体本体部およびこの筐体本体部の後面から後方に突出した凸部を有して上記受信部を収容したキャビネットを備えるとともに、同凸部の下面であって上記表示面の前方から臨んだときに隠れた位置に接続端子が設けられており、
上記スタンド部は、本テレビジョンが設置される設置面の上面に載置されるとともに上記キャビネットの下面に対向する上面を有する台部と、上記表示面の前方から臨んだときに左右方向において上記接続端子を挟む位置にて同台部の上面から上方に突出して上端にて上記テレビジョン本体部を支持する一対の柱状の脚部とを備えるテレビジョンにおいて、
上記表示面の前方から臨んだときに上記キャビネットの凸部の下面に設けられた接続端子を目視可能とする平板状の平面鏡が上記台部の上面における上記一対の脚部で挟まれた位置であって左右方向において上記接続端子の位置に合わせられて設けられ、
上記平面鏡は、片面が鏡面とされて残りの面が上記台部と同じ色とされた非反射面とされるとともに、上記台部の上面において左右方向を中心軸として回転可能に取り付けられていることを特徴とするテレビジョン。
【請求項２】
映像を表示する表示面とキャビネットとを有するディスプレイ本体部と、このディスプレイ本体部を下側から支持するスタンド部とを備え、
上記ディスプレイ本体部は、上記キャビネットの下面であって上記表示面の前方から臨んだときに隠れた位置に接続端子が設けられており、
上記スタンド部は、本ディスプレイが設置される設置面の上面に載置されるとともに上記キャビネットの下面に対向する上面を有する台部と、この台部の上面から上方に突出して上端にて上記ディスプレイ本体部を支持する脚部とを備えるディスプレイであって、
上記表示面の前方から臨んだときに上記キャビネットの下面に設けられた接続端子を目視可能とする鏡部材を上記台部の上面に設けたことを特徴とするディスプレイ。
【請求項３】
上記鏡部材は、上記表示面の前方から臨んだときに左右方向において上記接続端子の位置に合わせられた位置とされていることを特徴とする請求項２に記載のディスプレイ。
【請求項４】
上記鏡部材は、平面鏡とされていることを特徴とする請求項２または請求項３に記載のディスプレイ。
【請求項５】
上記鏡部材は、平板状とされ、片面が鏡面とされて残りの面が非反射面とされるとともに、上記台部の上面において左右方向を中心軸として回転可能に取り付けられていることを特徴とする請求項２〜請求項４のいずれかに記載のディスプレイ。
【請求項６】
上記鏡部材の非反射面は、上記台部と同じ色とされていることを特徴とする請求項５に記載のディスプレイ。
【請求項７】
上記台部には、上面において上記回転可能とされた鏡部材の下側にコード類を収容可能な凹形状の収容部が形成されていることを特徴とする請求項５または請求項６に記載のディスプレイ。
【請求項８】
上記台部には、上記中心軸の位置にて回転可能に支持されるとともに一端にて上記鏡部材に固定された棒状部材と、この棒状部材の同一端とは反対側の他端に固定されて同棒状部材を回転中心として回転操作可能な操作つまみとが設けられていることを特徴とする請求項５〜請求項７のいずれかに記載のディスプレイ。
【請求項９】
上記回転可能な鏡部材の鏡面を上側としたときに上記接続端子を照らす照明機構が設けられていることを特徴とする請求項５〜請求項８のいずれかに記載のディスプレイ。
【請求項１０】
上記ディスプレイの電源をオンにしたときに上記接続端子を照らす照明機構が設けられていることを特徴とする請求項２〜請求項８のいずれかに記載のディスプレイ。
【請求項１１】
上記鏡部材は、上記台部の上面において前後方向を中心軸として傾動可能に取り付けられていることを特徴とする請求項２〜請求項１０のいずれかに記載のディスプレイ。
【請求項１２】
上記鏡部材は、平板状とされるとともに上面が鏡面とされ、
上記台部には、上記平板状の鏡部材における左右方向の端部に当接して当該端部を上下方向に付勢する付勢部材と、この付勢部材とは反対側の方向から同端部に当接して当該端部を上下方向に微動させることが可能な第二操作つまみとが設けられていることを特徴とする請求項１１に記載のディスプレイ。
【請求項１３】
上記鏡部材には、上記接続端子を目視可能とする鏡面を有するとともに、上記表示面の前方から臨んだときに前後関係を表す目印が同鏡面に設けられていることを特徴とする請求項２〜請求項１２のいずれかに記載のディスプレイ。
【請求項１４】
上記接続端子は、複数設けられ、
上記キャビネットの下面における各接続端子の近傍には、当該接続端子の種類に対応した接続端子用目印が設けられ、
上記鏡部材には、上記接続端子を目視可能とする鏡面を有するとともに、各接続端子の位置に合わせて上記接続端子用目印に対応する鏡面側目印が同鏡面に設けられていることを特徴とする請求項２〜請求項１３のいずれかに記載のディスプレイ。
【発明の詳細な説明】
【技術分野】
【０００１】
本発明は、表示面を有するディスプレイ本体部と当該ディスプレイ本体部を下側から支持するスタンド部とを備えるテレビジョンおよびディスプレイに関する。
【背景技術】
【０００２】
放送信号を受信して映像を前面の表示面に表示するテレビジョン本体部を下側から支持するスタンド部が設けられたプラズマテレビジョンのような大型テレビジョンが知られている。このようなテレビジョンのキャビネットは、略箱形の筐体本体部とこの筐体本体部の後面から後方に突出した凸部とを有する形状とされ、後方の凸部の下面に種々のケーブルを接続可能な入出力端子や電源コードを接続可能な電源端子等が設けられている。
【０００３】
また、ベーススタンドと、このベーススタンドとは別体のフラットディスプレイパネルとを備えるフラットディスプレイも知られている（特許文献１参照）。
【特許文献１】特開２００１−２８２１１５
【発明の開示】
【発明が解決しようとする課題】
【０００４】
上記テレビジョンでは、入出力端子等の接続端子が筐体本体部の背後に設けられているため、表示面の前面から臨んだときに利用者は接続端子を直接見ることができない。プラズマテレビジョンのような大型テレビジョンでは、移動させたり傾けたりするのが容易ではないため、接続端子にケーブル類（コードを含む）を接続する際、手探りで接続する必要がある。従って、接続端子にケーブル類を接続するのは容易ではなかった。特許文献１記載のディスプレイでも、大型ディスプレイであれば、同様のことが言える。
【０００５】
本発明は、上記課題にかんがみてなされたもので、キャビネットの下面であって表示面の前方から臨んだときに隠れた位置に接続端子が設けられたテレビジョン等のディスプレイについて、容易にケーブル類を接続端子に接続することが可能なテレビジョンおよびディスプレイの提供を目的とする。
【課題を解決するための手段】
【０００６】
上記目的を達成するため、本発明は、放送信号を受信する受信部および受信した放送信号に対応する映像を前面に表示する表示面を有するテレビジョン本体部と、このテレビジョン本体部を下側から支持するスタンド部とを備え、上記テレビジョン本体部は、上記表示面に合わせて前面に開口が形成された略箱形の筐体本体部およびこの筐体本体部の後面から後方に突出した凸部を有して上記受信部を収容したキャビネットを備えるとともに、同凸部の下面であって上記表示面の前方から臨んだときに隠れた位置に接続端子が設けられており、上記スタンド部は、本テレビジョンが設置される設置面の上面に載置されるとともに上記キャビネットの下面に対向する上面を有する台部と、上記表示面の前方から臨んだときに左右方向において上記接続端子を挟む位置にて同台部の上面から上方に突出して上端にて上記テレビジョン本体部を支持する一対の柱状の脚部とを備えるテレビジョンにおいて、上記表示面の前方から臨んだときに上記キャビネットの凸部の下面に設けられた接続端子を目視可能とする平板状の平面鏡が上記台部の上面における上記一対の脚部で挟まれた位置であって左右方向において上記接続端子の位置に合わせられて設けられ、上記平面鏡は、片面が鏡面とされて残りの面が上記台部と同じ色とされた非反射面とされるとともに、上記台部の上面において左右方向を中心軸として回転可能に取り付けられていることを特徴とする。
【０００７】
また、より一般的な構成として、本発明は、映像を表示する表示面とキャビネットとを有するディスプレイ本体部と、このディスプレイ本体部を下側から支持するスタンド部とを備え、上記ディスプレイ本体部は、上記キャビネットの下面であって上記表示面の前方から臨んだときに隠れた位置に接続端子が設けられており、上記スタンド部は、本ディスプレイが設置される設置面の上面に載置されるとともに上記キャビネットの下面に対向する上面を有する台部と、この台部の上面から上方に突出して上端にて上記ディスプレイ本体部を支持する脚部とを備えるディスプレイであって、上記表示面の前方から臨んだときに上記キャビネットの下面に設けられた接続端子を目視可能とする鏡部材を上記台部の上面に設けたことを特徴とする。
【０００８】
すなわち、本ディスプレイの利用者はディスプレイ本体部の表示面の前方から臨んだとき、キャビネットの下面に設けられた接続端子が隠れた位置とされており、直接目視することができない。ここで、同表示面の前方から臨んだときに接続端子を目視可能とする鏡部材が台部の上面に設けられているので、視認しながらケーブル類を接続端子に接続することができる。従って、ディスプレイの背面にある接続端子に対して手探りでケーブル類を接続する必要が無くなり、目で確認することによってケーブル類を接続端子に接続することが容易となる。
【０００９】
本発明を適用可能なディスプレイは、放送電波を受信して映像出力する受像装置を含むテレビジョンでもよいし、受像装置を含まない表示装置からなるディスプレイでもよい。本発明は、特にプラズマテレビジョンや大型テレビジョン（例えば、重量２０ｋｇ以上あるいは２０インチ以上）に適用して好適であるが、小型テレビジョンにも適用可能である。
上記接続端子には、各種入出力端子や電源端子等、様々な端子がある。
【００１０】
上記鏡部材は、上記表示面の前方から臨んだときに左右方向において上記接続端子の位置に合わせられた位置とされていると、接続端子が鏡部材の視野の中に入りやすくなる。
ここで、複数の接続端子が設けられている場合、接続端子の全部に対して共通の鏡（左右方向に幅広い鏡）を設けてもよいし、各接続端子の位置に合わせて個別に設けてもよいし、一部の接続端子の位置に対してのみ設けてもよい。
【００１１】
上記鏡部材は、平面鏡とされていると、平面鏡は汎用的な部品であるので簡易に本ディスプレイを構成することができる。
【００１２】
上記鏡部材は、平板状とされ、片面が鏡面とされて残りの面が非反射面とされるとともに、上記台部の上面において左右方向を中心軸として回転可能に取り付けられていると、鏡部材を回転操作することによって、接続端子を鏡面の視野の中に入れやすくなる。
【００１３】
上記鏡部材の非反射面は、上記台部と同じ色とされていると、ケーブル類を接続端子に接続する作業を行わない不使用時に非反射面を上側にして良好な外観が得られる。むろん、非反射面を台部と同じ材質としても、良好な外観にさせることが可能となる。
【００１４】
上記台部には、上面において上記回転可能とされた鏡部材の下側にコード類を収容可能な凹形状の収容部が形成されていると、電源コード等のコード類（ケーブルを含む）が余分に出ている場合等にコード類を収容することができる。
【００１５】
上記台部には、上記中心軸の位置にて回転可能に支持されるとともに一端にて上記鏡部材に固定された棒状部材と、この棒状部材の同一端とは反対側の他端に固定されて同棒状部材を回転中心として回転操作可能な操作つまみとが設けられている構成としてもよい。棒状部材の端部が固定された操作つまみを回転操作すると、中心軸の位置にて台部に回転可能に支持された同棒状部材は回転し、鏡部材が回転する。
【００１６】
上記回転可能な鏡部材の鏡面を上側としたときに上記接続端子を照らす照明機構が設けられている構成としてもよい。接続端子は前方から隠れた位置にあるため暗くて見えにくいこともあるが、このような場合でも鏡部材の鏡面を上側として接続端子にケーブル類を接続しようとするときに鏡部材の動きと連動して接続端子が照らされる。
【００１７】
むろん、上記ディスプレイの電源をオンにしたときに上記接続端子を照らす照明機構が設けられている構成としてもよい。接続端子が暗くて見えにくい場合でもディスプレイの電源をオンにすることによって、電源オンと連動して接続端子にケーブル類を接続しようとするときに接続端子が照らされる。
【００１８】
上記鏡部材は、上記台部の上面において前後方向を中心軸として傾動可能に取り付けられていると、鏡部材を左右に傾動させる操作を行うことによって、接続端子を鏡面の視野の中に入れやすくなる。
なお、本発明において上下左右前後の関係をいうときは、厳密な意味での上下左右前後のみならず、斜め（例えば、４５゜以下、３０゜以下、１５゜以下）にずれた略上下左右前後も含まれる。例えば、上面や下面は斜めの面とされていてもよいし、左右前後の方向は斜めにずれた左方、右方、前方、後方でもよい。
【００１９】
上記鏡部材は、平板状とされるとともに上面が鏡面とされ、上記台部には、上記平板状の鏡部材における左右方向の端部に当接して当該端部を上下方向に付勢する付勢部材と、この付勢部材とは反対側の方向から同端部に当接して当該端部を上下方向に微動させることが可能な第二操作つまみとが設けられている構成としてもよい。すると、鏡部材の傾きの微調整を容易にさせることができる。
ここで、付勢部材は、つる巻きばねやうず巻きばねや板ばね等のばね、ゴム、等、様々な部材とすることができる。
【００２０】
上記鏡部材には、上記接続端子を目視可能とする鏡面を有するとともに、上記表示面の前方から臨んだときに前後関係を表す目印が同鏡面に設けられている構成としてもよい。鏡を見ていると前後関係が分かりにくくなるが、鏡面に設けられた目印により前後関係を容易に把握することができる。
【００２１】
上記接続端子は、複数設けられ、上記キャビネットの下面における各接続端子の近傍には、当該接続端子の種類に対応した接続端子用目印が設けられ、上記鏡部材には、上記接続端子を目視可能とする鏡面を有するとともに、各接続端子の位置に合わせて上記接続端子用目印に対応する鏡面側目印が同鏡面に設けられている構成としてもよい。鏡を見ていると接続端子の種類が分かりにくくなるが、接続端子の近傍と鏡面の両方に設けられた目印により接続端子の種類を容易に把握することができる。
【発明の効果】
【００２２】
請求項１にかかる発明によれば、表示面の前方から臨んだときに左右方向において一対の脚部に挟まれて視認しづらい位置にある接続端子に対して鏡部材を回転操作することによって目で確認しながら容易にケーブル類を接続端子に接続することが可能となる。また、ケーブル類を接続端子に接続する作業を行わない時に非反射面を上側にすることにより、良好な外観にさせることが可能となる。
請求項２にかかる発明では、目で確認しながら容易にケーブル類を接続端子に接続することが可能となる。
請求項３にかかる発明では、接続端子を目視することが容易となり、さらに容易にケーブル類を接続端子に接続することが可能となる。
【００２３】
請求項４にかかる発明では、汎用的な部品で鏡部材を構成することができるので、ディスプレイのコストを低減させることが可能となる。
請求項５にかかる発明では、鏡部材を回転操作することによって接続端子を目視することがさらに容易となり、さらに容易にケーブル類を接続端子に接続することが可能となる。
請求項６にかかる発明では、ケーブル類を接続端子に接続する作業を行わない時に非反射面を上側にすることにより、良好な外観にさせることが可能となる。
【００２４】
請求項７にかかる発明では、収容部にコード類（ケーブルを含む）を収容することができるので、利便性を向上させることが可能となる。
請求項８にかかる発明では、操作つまみを回転操作することによって鏡部材をリンクさせて回転させることができるので、利便性を向上させることが可能となる。
請求項９にかかる発明では、接続端子が暗くて見えにくい場合でも接続端子が照らされるので、容易にケーブル類を接続端子に接続することができ、利便性を向上させることが可能となる。また、鏡部材の鏡面を上側としたときに接続端子が照らされるので、消費電力が少なくて済み、効率よく接続端子を照らすことができる。
【００２５】
請求項１０にかかる発明では、接続端子が暗くて見えにくい場合でも接続端子が照らされるので、容易にケーブル類を接続端子に接続することができ、利便性を向上させることが可能となる。また、ディスプレイの電源をオンにしたときに接続端子が照らされるので、効率よく接続端子を照らすことができる。
請求項１１にかかる発明では、鏡部材を傾動させることによって接続端子を目視することがさらに容易となり、さらに容易にケーブル類を接続端子に接続することが可能となる。
請求項１２にかかる発明では、鏡部材の傾きの微調整を容易にさせることができるので、さらに確実に接続端子を目視することが可能となる。
【００２６】
請求項１３にかかる発明では、鏡面に設けられた目印により前後関係を容易に把握することができ、接続端子にケーブル類をさらに容易に接続することが可能となる。
請求項１４にかかる発明では、接続端子の近傍と鏡面の両方に設けられた目印により接続端子の種類を容易に把握することができ、複数の接続端子にケーブル類をさらに容易に接続することが可能となる。
【発明を実施するための最良の形態】
【００２７】
以下、下記の順序に従って本発明の実施形態を説明する。
（１）テレビジョンの説明：
（２）テレビジョンの作用：
（３）変形例：
【００２８】
（１）テレビジョンの説明：
図１は、本発明の一実施形態にかかるディスプレイであるプラズマテレビジョン（以下、ＴＶ）１００を示す正面図である。図２は、台部２１を透視してＴＶ１００の背面斜め下方を示す斜視図である。図３は、ＴＶ１００の背面を示す背面図であり、台部２１については上面図も示している。図４は、平面鏡（鏡部材）３０に各種部材３１〜３３を取り付ける様子を示す上面図であり、部材３１〜３３を取り付けた様子については背面図も示している。図５は、ＴＶ１００のＡ１−Ａ１断面を示す断面図である。図６は、接続端子１６を照らす照明機構の回路図をタクトスイッチ４２の状態とともに示す図である。なお、図１を基準として上下左右の関係を説明し、図２の右から斜め下方向を前方向、左から斜め上方向を後方向として説明する。
本ＴＶ１００は、２０インチ以上の大型テレビジョンであり、２０ｋｇ以上の重量がある。同ＴＶ１００は、テレビジョン本体部（ディスプレイ本体部）１０と、このテレビジョン本体部１０を下側から支持する金属製（樹脂製等でも可）のスタンド部２０とを備えている。
【００２９】
テレビジョン本体部１０は、放送信号を受信する受信部１２や、制御回路が形成されたプリント基板や、受信した放送信号に対応する映像を前面に表示する表示面１１を有しており、当該表示面１１に合わせて前面に開口１４ａが形成された樹脂製のキャビネット１３に受信部１２や同プリント基板等が収容されている。そして、プリント基板に実装された制御回路の制御により、放送電波を受信したり外部入力端子から所定のフォーマットの信号を入力したりして、対応する映像と音声を出力する。このキャビネット１３は、同開口１４ａが形成された薄い略箱形の筐体本体部１４と、この筐体本体部１４の後面１４ｂから後方に突出した凸部１５とを有している。この凸部１５の下面１５ａには、複数の接続端子１６が設けられている。ここで、凸部の下面１５ａは筐体本体部１４の下面１４ｃより上側とされているため、接続端子１６は表示面１１の前方から臨んだときに隠れた位置とされている。
【００３０】
接続端子１６としては、電源コードを接続可能な電源端子や、所定規格のケーブルを接続可能なＤ端子、Ｓ端子、ＵＳＢ端子、電話回線端子（モジューラジャック）、光端子、等が設けられている。接続端子は、デジタル用の端子でもアナログ用の端子でもよい。ここで、Ｄ端子のようにケーブル類の接続の際に向きを合わせる必要のある端子もあれば、向きを合わせる必要のない端子もある。
【００３１】
スタンド部２０は、キャビネットの下面１４ｃ，１５ａに空間を介して対向する上面２１ｂを有する台部２１と、この台部の上面２１ｂから上方に突出して上端２２ａ１，２２ｂ１にてテレビジョン本体部１０を支持する一対の四角柱状の脚部２２，２２（左側の脚部２２ａと右側の脚部２２ｂ）とを備えている。凸部１５の下面１５ａにおける前側の角部には上方に向かって窪んだ凹形状の凹部１３ａ，ｂが形成されており、同凹部１３ａ，ｂに脚部の上端２２ａ１，２２ｂ１が挿入されてテレビジョン本体部１０がスタンド部２０に支持されている。
台部２１の下面２１ａは、本ＴＶ１００が設置される設置面の上面に載置されるようになっている。従って、本ＴＶを床上に設置する場合には床面が設置面となって台部２１が載置されることになり、本ＴＶをＴＶラック上に配置する場合には同ラックの上面が設置面となって台部２１が載置されることになる。柱状の両脚部２２ａ，ｂは、表示面１１の前方から臨んだときに左右方向において複数の接続端子１６を挟む位置とされている。言い換えると、複数の接続端子１６は、左右方向において両脚部２２ａ，ｂに挟まれる位置に配設されていることになる。
【００３２】
台部の上面２１ｂには、平板状の平面鏡（鏡部材）３０が設けられるとともに、この平面鏡３０の下側にコード類を収容可能な凹形状の収容部２３が形成されている。同平面鏡３０は、一対の脚部２２ａ，ｂで挟まれた位置とされるとともに、表示面１１の前方から臨んだときに左右方向において上記接続端子の位置に合わせられて設けられている。平面鏡３０は、台部２１と同じ材質の金属製とされ、片面が略矩形の鏡面３０ａとされて残りの反対面が台部２１と同じ色の非反射面３０ｂとされている。また、平面鏡３０は、左右方向に向けられた棒状部材３１とＤ字部材３３が左右端部に固定され、台部の上面２１ｂにおいて両部材３１，３３を中心軸として回転可能に取り付けられている。そして、平面鏡３０は、表示面１１の前方から臨んだときに凸部の下面１５ａに設けられて隠れた位置とされた複数の接続端子１６を目視可能としている。
【００３３】
図４に示すように、平面鏡３０の左右両端部には断面Ｄ字状の穴３０ｃ，ｄが形成されている。棒状部材３１の左右両端部３１ａ，ｂは、断面Ｄ字状にＤカットされている。操作つまみ３２は、外周に滑り止め用の細かい凹凸が形成され、左端部に断面Ｄ字状の穴３２ａが形成されている。棒状のＤ字部材３３は、断面Ｄ字状とされている。ここで、平面鏡３０の左端部の穴３０ｃとＤ字部材３３の断面とを略同じ大きさとしてあり、平面鏡３０の右端部の穴３０ｄと棒状部材の左端部３１ａの断面とを略同じ大きさとしてあり、操作つまみの穴３２ａと棒状部材の右端部３１ｂの断面とを略同じ大きさとしてある。
また、台部２１には平面鏡３０の回転中心軸の位置に合わせて穴２４ａと貫通穴（軸受部）２４ｂとが形成されており、同穴２４ａの内径をＤ字部材３３の外形より若干大きくし、同貫通穴２４ｂの内径を棒状部材３１の外形より若干大きくしてある。
【００３４】
平面鏡を台部に対して回転可能に取り付けるには、以下のようにすればよい。
まず、Ｄ字部材３３の一端を平面鏡の穴３０ｃ内に挿入して固定し、同Ｄ字部材３３の他端を台部の穴２４ａに挿入する。次に、棒状部材３１を台部の貫通穴２４ｂ内に挿入して左端部３１ａを平面鏡の穴３０ｄ内に挿入して固定する。最後に、棒状部材の右端部３１ｂを操作つまみの穴３２ａ内に挿入して固定するように操作つまみ３２を棒状部材３１に取り付ける。すると、棒状部材３１は左端部３１ａにて平面鏡３０に固定され、この平面鏡の回転の中心軸の位置にて台部２１に対して回転可能に支持される。操作つまみ３２は棒状部材３１の同左端部とは反対側の右端部３１ｂに固定され、同棒状部材を回転中心として回転操作可能となる。従って、利用者は操作つまみ３２を回転操作することによって、平面鏡を回転させることができるので、便利である。
【００３５】
また、台部の上面２１ｂには、複数の接続端子１６に対して発光した光を照射することの可能なＬＥＤ４１が複数設けられている。図６に示すように、各ＬＥＤ４１は並列接続され、アノード側がタクトスイッチ（押ボタンスイッチ）４２の一端に接続され、カソード側がグランドに接続されている。タクトスイッチ４２の他端は所定抵抗値のプルアップ抵抗４３の一端に接続され、プルアップ抵抗４３の他端は直流電源装置４４の電源ライン（＋Ｅ、正電位）に接続されている。ここで、タクトスイッチ４２のスイッチ操作部４２ａは、Ｄ字部材３３の下側に接している。タクトスイッチ４２は、平面鏡の非反射面３０ｂが上側であるときにオフとされ、鏡面３０ａが上側であるときにオンとされるようにされている。そして、タクトスイッチ４２がオンにされると、プルアップ抵抗４３を介して電流が各ＬＥＤ４１に流れ、各ＬＥＤ４１は発光されて複数の接続端子１６が照らされる。すなわち、本実施形態の照明機構は、各部４１〜４３と電源装置４４とから構成され、回転可能な鏡部材の鏡面を上側としたときに接続端子を照らす。前方から隠れた位置にある接続端子は暗くて見えにくいこともあるが、このような場合でも鏡部材の鏡面を略上側として接続端子にケーブル類を接続しようとするときにのみ接続端子が照らされ、不使用時に鏡部材の非反射面を上側とすることによって接続端子が照らされないようにされるので、効率よく接続端子が照らされ、消費電力が少なくて済む。そして、接続端子が照らされることによって接続端子を視認しやくすくなり、容易にケーブル類を接続端子に接続することができて便利である。
【００３６】
（２）テレビジョンの作用：
本ＴＶ１００の利用者は、テレビジョン本体部の表示面１１の前方から臨んだとき、接続端子１６の設けられた凸部の下面１５ａは筐体本体部１４の下面１４ｃより上側とされているため、接続端子１６が隠れた位置とされており、直接目で見ることができない。特に、本ＴＶの接続端子１６は左右方向において一対の脚部２２，２２に挟まれて目視し難い位置にある一方、本ＴＶは非常に重くて移動させたり傾けたりするのが容易ではない。
ここで、表示面１１の前方から臨んだときに接続端子１６を視認可能とする平面鏡３０が台部の上面２１ｂに設けられている。そこで、利用者は、ケーブル類を手で持って、両脚部２２，２２の間から手を前面側から背面側に入れ、あるいは、両脚部２２，２２の左右外側から手を前面側から背面側に入れ、目で確認しながらケーブル類を接続端子１６に接続することができる。従って、移動させたり傾けたりし難い大型テレビジョンであっても、テレビジョンの背面にある接続端子に対して手探りでケーブル類を接続する必要が無くなり、目で直接見ることによってケーブル類を接続端子に接続することが容易となる。なお、鏡部材が左右方向において接続端子の位置に合わせられた位置とされているので、接続端子を鏡部材の視野の中に入れやすく、接続端子を目視することが容易である。
【００３７】
また、鏡部材は台部に対して回転可能に設けられているので、図５の左側に示すように前面の比較的上側から本ＴＶ１００を見る場合には水平面に対する鏡面の角度を比較的小さくすることによって接続端子１６を視野に入れることができ、同図の右側に示すように前面の比較的した側から本ＴＶを見る場合には水平面に対する鏡面の角度を比較的大きくすることによって接続端子１６を視野に入れることができる。このように、鏡部材を回転操作することによって接続端子を容易に鏡面の視野の中に入れることができ、接続端子が目視されやすくなるので、ケーブル類を接続端子に接続することが非常に容易である。
【００３８】
さらに、鏡部材の非反射面が台部と同じ材質の同じ色とされているので、不使用時に非反射面を上側にすることによって良好な外観が得られる。
さらに、台部の上面に上記回転可能とされた鏡部材の下側にコード類を収容可能な凹形状の収容部が形成されているので、コード類が余分に出ている場合等にコード類を収容することができ、本ＴＶは便利である。
【００３９】
（３）変形例：
ところで、本発明は、様々な変形例が考えられる。
テレビジョンは、プラズマテレビジョン以外にも、大型であるか小型であるかを問わず、液晶テレビジョン、ブラウン管テレビジョン、ビデオデッキとテレビジョンの一体型装置、ＤＶＤ再生装置とテレビジョンの一体型装置、等、様々なものが考えられる。また、テレビジョン以外にも、放送電波を受信する受信装置を含まないディスプレイにも本発明を適用可能である。むろん、受信装置を含むディスプレイにも本発明を適用可能である。
また、鏡部材を凸面鏡や球面鏡としてもよい。すると、表示面の前方から臨んだときに左右方向において鏡部材の位置を接続端子の位置に合わせなくても接続端子を目視可能となるので、台部の上面の面積が限られている場合に好適な構成となる。むろん、接続端子を拡大して目視しやすくさせるために、鏡部材を凹面鏡としてもよい。
【００４０】
図７は、照明機構の変形例を示している。本回路でも、台部２１の上面２１ｂに設けられた各ＬＥＤ４１は並列接続され、カソード側がグランドに接続されている。直流電源装置４４の電源ライン（＋Ｅ、正電位）には、本ＴＶ１００の電源のオンオフを切り替える電源スイッチ（押ボタンスイッチ）４５が接続されている。このスイッチ４５は、利用者からの押圧操作毎に電源ライン（＋Ｅ）を導通状態と遮断状態とを交互に切替可能である。なお、スイッチ４５が導通状態のときに電源オンであり、遮断状態のときに電源オフである。同スイッチ４５における電源装置４４とは反対側の端部側に抵抗素子の直列回路４６，４７が接続されている。ここで、スイッチ４５の端部側に所定抵抗値の抵抗素子４６の一端が接続され、この抵抗素子４６の他端に所定抵抗値の抵抗素子４７の一端が接続され、同抵抗素子４７の他端はグランドに接続されている。そして、各ＬＥＤ４１のアノード側が抵抗素子４６，４７の中間連結部４６ａに接続されている。
【００４１】
電源オフ時、電源スイッチ４５が遮断状態であるので、抵抗素子４６，４７に電流が流れない。従って、各ＬＥＤ４１にも電流が流れず、ＬＥＤ４１は消灯している。ここで、スイッチ４５が押圧操作されて電源オンにされると、同スイッチ４５が導通状態に切り替わるので、抵抗素子４６，４７に電流が流れる。従って、各ＬＥＤ４１に電流が流れ、ＬＥＤ４１は点灯する。なお、スイッチ４５が再び押圧操作されると、同スイッチ４５は遮断状態に戻り、ＬＥＤ４１は消灯する。
すなわち、本実施形態の照明機構は、各部４１，４５〜４７と電源装置４４とから構成され、ＴＶの電源をオンにしたときに接続端子を照らす。前方から隠れた位置にあって暗くて見えにくい接続端子にケーブル類を接続しようとする際、ＴＶの電源をオンにすることによって接続端子が照らされ、電源をオフにすると接続端子が照らされないようにされるので、効率よく接続端子が照らされ、消費電力が少なくて済む。そして、接続端子が照らされることによって接続端子を視認しやくすくなり、容易にケーブル類を接続端子に接続することができて便利である。
【００４２】
図８はＴＶ１００の別の変形例を示す前面図であり、図９は台部２１に設けられた各部材５１〜５３を図８のＡ２−Ａ２断面にて示す左側面図である。台部２１には第二の棒状部材５１の配置に合わせて同棒状部材５１を貫通可能な図示しない貫通穴（軸受部）が前後方向に向けて形成されており、この貫通穴に棒状部材５１が挿入されて台部２１に対して前後方向に移動可能に支持されている。第二の棒状部材５１は、上面に多数のギヤ５１ａが形成されてラックギヤとされるとともに、前側の端部に円板状の操作つまみ５２が固定されている。一方、平面鏡等の鏡部材５０の右端部には、当該鏡部材５０の回転の中心軸の位置にて平歯車５３が取り付けられて固定されている。この平歯車５３は、台部２１に対して回転可能に支持されているとともに、周囲に棒状部材５１のギヤ５１ａと噛合するギヤ５３ａが形成されている。
なお、鏡部材５０の両端部には上記平面鏡３０の穴３０ｃ，ｄと同様の穴が形成され、平歯車５３の左端部は断面Ｄ字状に形成されたＤカット部とされるとともに、上記平面鏡３０のＤ字部材３３と同様のＤ字部材も設けられている。そして、台部２１に対して回転可能に支持されたＤ字部材を鏡部材５０の左端部の穴内に挿入して固定し、平歯車５３のＤカット部を鏡部材５０の右端部の穴内に挿入して固定すると、鏡部材５０は台部２１の上面にて回転可能に支持される。
【００４３】
以上の構成により、利用者が操作つまみ５２を前後方向に移動させる操作を行うと、第二の棒状部材５１の移動と連動して平歯車５３が回転し、鏡部材５０は回転する。従って、操作つまみを前後に操作することによって鏡部材をリンクさせて確実に回転させることができるので、便利である。また、操作つまみが台部の手前にあるので、操作しやすく、この点でも便利である。
【００４４】
むろん、図１０に示すように、台部２１に、鏡部材５０の右端部に固定された平歯車６３と、この平歯車６３のギヤ６３ａに噛合した例えばゴム製のベルト６１と、このベルト６１のギヤ６１ａに噛合した操作つまみ６２とを設けてもよい。同平歯車６３は鏡部材５０の中心軸の位置にて台部２１に対して回転可能に支持されており、環状のベルト６１の内側に設けられたギヤ６１ａは平歯車のギヤ６１ａと操作つまみ６２のギヤとに合わせて形成されている。
以上の構成により、利用者が操作つまみ６２を回転操作すると、ベルト６１の移動と連動して平歯車６３が回転し、鏡部材５０は回転する。従って、操作つまみを回転操作することによって鏡部材をリンクさせて確実に回転させることができるので、便利である。また、操作つまみが台部の手前にあるので、操作しやすく、この点でも便利である。
【００４５】
なお、平歯車６３と操作つまみ６２の代わりにそれぞれプーリとし、ギヤの無いベルトを用いても、多少の滑りが生じる可能性はあるものの、より安価に鏡部材を回転操作させる機構を構成することができる。
【００４６】
図１１はＴＶ１００の別の変形例を示す前面図であり、図１２は台部２１に設けられた鏡ユニット２５の一部を断面視して当該鏡ユニット２５と各部材８１，８２とを示す前面図である。平面鏡等の鏡部材７０は、前後方向に向けられて台部の上面２１ｂに設けられた円柱棒状の軸部材２５ｅを中心軸として左右に傾動可能に取り付けられている。同鏡部材７０は、上面が鏡面とされている。
鏡ユニット２５の右端部には右方に向けて突出した凸部７０ａが形成され、左端部には左方に向けて突出した凸部７０ｂが形成されている。一方、台部２１は両凸部７０ａ，ｂの配置に合わせて穴２５ａ，ｂが形成されており、これらの穴２５ａ，ｂに各凸部７０ａ，ｂが挿入されて台部２１に対して左右方向を中心軸として回転可能に支持されている。従って、鏡ユニット２５全体は、左右方向を中心軸として回転可能とされている。
【００４７】
鏡ユニット２５の右端部から上方にＬ字部２５ｃが延出し、このＬ字部２５ｃの上端部は左方向に延出して左方延出部２５ｃ１とされている。この左方延出部２５ｃ１に雌ねじが形成されており、第二操作つまみ８２の下部となる雄ねじ部８２ａが螺合している。雄ねじ部８２ａの下端は鏡部材７０の右端部の上面に当接しており、第二操作つまみ８２を回転操作すると、雄ねじ部８２ａの上下動に合わせて鏡部材７０の右端部が上下動する。また、鏡ユニット２５において鏡部材７０の下側に形成された空間の底面２５ｆ上における右側寄りの箇所から上方に向かって前後方向に向けられた平板状の仕切部２５ｄが延出しており、同空間内で仕切部２５ｄから右側にばね等（ゴム等も可）の付勢部材８１を収容可能な収容部が形成されている。この収容部に付勢部材８１が上下方向に圧縮された状態で収容されている。そして、付勢部材８１は鏡部材７０の右端部の下面を上方に付勢している（力を加えている）。
【００４８】
第二操作つまみ８２が上方にあるとき、図１２の上段に示すように、付勢部材８１の付勢力により鏡部材７０の右端部は雄ねじ部８２ａに接するまで押し上げられ、軸部材２５ｅを中心軸として右側が上側となるように傾いている。ここで、利用者が操作つまみ８２を所定方向に回転操作して下方に移動させると、鏡部材７０の右端部は付勢部材８１に付勢されながら下降し、例えば同図の下段に示すように軸部材２５ｅを中心軸として左側が上側となるように傾いた状態となる。このように、第二操作つまみは、付勢部材とは反対側の方向から鏡部材の端部に当接して当該端部を上下方向に微動させることが可能である。
なお、付勢部材と第二操作つまみとを鏡部材の左端部に設けてもよい。
以上の構成により、鏡部材の傾きの微調整を容易にさせることができるので、さらに確実に接続端子を目視することが可能となる。
【００４９】
むろん、図１３に示すように、略円板状の平面鏡とされた鏡部材９０の前後端部に前後に突出した凸部９０ａ，ｂを設け、当該鏡部材９０を円環状の鏡支持部材９１に対して凸部９０ａ，ｂを通る左右方向とは垂直の中心軸を中心として回転可能に支持するとともに、同鏡支持部材９１の左右端部に左右に突出した凸部９１ａ，ｂを設け、当該鏡支持部材９１を台部２１に対して凸部９１ａ，ｂを通る左右方向を中心軸として回転可能に支持してもよい。すると、鏡部材９０は左右方向を中心軸として自由に回転可能であるともに左右方向に自由に傾動可能でもあるので、鏡部材の鏡面の向きを自由に変えることができ、さらに確実に接続端子を目視することが可能となる。なお、鏡部材９０の片面を鏡面とし、反対側の面を台部２１と同じ材質や同じ色とすると、ケーブル類を接続端子に接続する作業を行わない時に非反射面を上側にすることにより、良好な外観にさせることが可能となる。
【００５０】
また、図１４に示すように、接続端子１６を目視可能とする鏡面１３０ａを有する鏡部材１３０に、表示面１１の前方から臨んだときに前後関係を表す目印１３１を鏡面１３０ａに設けてもよい。鏡にて反射した接続端子を見ていると前後関係が分かりにくいものであるが、鏡面に設けられた目印１３１により前後関係を容易に把握することができる。従って、接続端子にケーブル類をさらに容易に接続することが可能となる。
【００５１】
さらに、図１５に示すように、複数の接続端子１６を目視可能とする鏡面１４０ａを有する鏡部材１４０に、前後関係を表す目印１４１の他、接続端子の種類に対応した鏡面側目印１４２を鏡面１３０ａに設けてもよい。これにより、接続端子の種類を容易に把握することができ、複数の接続端子にケーブル類をさらに容易に接続することが可能となる。
また、キャビネット１３の凸部１５の下面１５ａにおける各接続端子１６の近傍に、当該接続端子１６の種類に対応した接続端子用目印１４３を設けてもよい。そして、鏡部材１４０に、各接続端子１６の位置に合わせて接続端子用目印１４３に対応する鏡面側目印１４２を鏡面１４０ａに設けてもよい。鏡面にて反射した接続端子を見ていると接続端子の種類が分かりにくいものであるが、接続端子の近傍と鏡面の両方に設けられた目印１４３，１４２により接続端子の種類を容易に把握することができる。従って、複数の接続端子にケーブル類をさらに容易に接続することが可能となる。
以上説明したように、本発明によると、種々の態様により、目で確認しながら容易にケーブル類を接続端子に接続することが可能となり、利便性を向上させることが可能となる。
【図面の簡単な説明】
【００５２】
【図１】プラズマテレビジョン１００を示す正面図である。
【図２】台部を透視してＴＶ１００の背面斜め下方を示す斜視図である。
【図３】ＴＶ１００の背面を示す背面図である。
【図４】平面鏡３０に各種部材３１〜３３を取り付ける様子を示す上面図である。
【図５】ＴＶ１００のＡ１−Ａ１断面を示す断面図である。
【図６】接続端子を照らす照明機構の回路図をタクトスイッチの状態ととともに示す図である。
【図７】照明機構の変形例を示す回路図である。
【図８】ＴＶ１００の別の変形例を示す前面図である。
【図９】台部２１に設けられた各部材５１〜５３を図８のＡ２−Ａ２断面にて示す左側面図である。
【図１０】台部２１に設けられた各部材６１〜６３を図８のＡ２−Ａ２断面にて示す左側面図である。
【図１１】ＴＶ１００の別の変形例を示す前面図である。
【図１２】台部２１に設けられた鏡ユニットと各部材８１，８２とを示す前面図である。
【図１３】別の変形例において鏡部材９０と鏡支持部材９１を示す上面図である。
【図１４】別の変形例において鏡部材１３０を示す上面図である。
【図１５】別の変形例においてキャビネットの凸部の下面と鏡部材１３０の上面を示す図である。
【符号の説明】
【００５３】
１０…テレビジョン本体部（ディスプレイ本体部）
１１…表示面
１２…受信部
１３…キャビネット、１３ａ，ｂ…凹部
１４…筐体本体部、１４ａ…開口、１４ｂ…後面、１４ｃ…下面
１５…凸部、１５ａ…下面
１６…接続端子
２０…スタンド部
２１…台部、２１ａ…下面、２１ｂ…上面
２２（２２ａ，ｂ）…脚部、２２ａ１，２２ｂ１…上端
２３…収容部
２４ａ…穴
２４ｂ…貫通穴（軸受部）
２５…鏡ユニット、２５ａ，ｂ…穴、２５ｃ…Ｌ字部、２５ｃ１…左方延出部、２５ｄ…仕切部、２５ｅ…軸部材、２５ｆ…底面
３０…平面鏡（鏡部材）、３０ａ…鏡面、３０ｂ…非反射面、３０ｃ，ｄ…穴
３１…棒状部材、３１ａ…左端部、３１ｂ…右端部
３２…操作つまみ、３２ａ…穴
３３…Ｄ字部材
４１…ＬＥＤ（発光ダイオード）
４２…タクトスイッチ、４２ａ…スイッチ操作部
４３…プルアップ抵抗
４４…直流電源装置
４５…電源スイッチ（押ボタンスイッチ）
４６，４７…抵抗素子、４６ａ…中間連結部
５０，７０，９０，１３０，１４０…鏡部材
５１…第二の棒状部材
５１ａ，５３ａ，６１ａ，６３ａ…ギヤ
５２，６２…操作つまみ
５３，６３…平歯車
６１…ベルト
７０ａ，ｂ…凸部
８１…付勢部材
８２…第二操作つまみ、８２ａ…雄ねじ部
９０ａ，ｂ，９１ａ，ｂ…凸部
９１…鏡支持部材
１００…プラズマテレビジョン（ディスプレイ）
１３０ａ，１４０ａ…鏡面
１３１，１４１…目印
１４２…鏡面側目印
１４３…接続端子用目印
【図１】
0003714425.tif 000002
【図２】
0003714425.tif 000003
【図３】
0003714425.tif 000004
【図４】
0003714425.tif 000005
【図５】
0003714425.tif 000006
【図６】
0003714425.tif 000007
【図７】
0003714425.tif 000008
【図８】
0003714425.tif 000009
【図９】
0003714425.tif 000010
【図１０】
0003714425.tif 000011
【図１１】
0003714425.tif 000012
【図１２】
0003714425.tif 000013
【図１３】
0003714425.tif 000014
【図１４】
0003714425.tif 000015
【図１５】
0003714425.tif 000016